(57)【要約】
【課題】  キーホルダー等に吊り下げて携行可能に小型・軽量で簡易な構造とした携帯用バイブレータを提供すること。
【解決手段】  ツボを押圧するための少なくとも1つの突起部３を適宜箇所に配置したケース１に、回転不平衡錘３２を出力軸に備えたバイブレーション用モータ装置３０と、そのモータ装置に電力を供給するボタン型電池２５と、電源回路に介装される電源スイッチ２０と、吊下げ用フック部３５とを設け、その電源スイッチ２０のオン動作によりバイブレーション用モータ装置３０を作動させてマッサージを施すことができるように構成した。
【選択図】  図２
0003101115.tif 000002
【実用新案登録請求の範囲】
【請求項１】
ツボを押圧するための少なくとも1つの突起部を適宜箇所に配置したケースに、回転不平衡錘を出力軸に備えたバイブレーション用モータ装置と、そのモータ装置に電力を供給する小形蓄電池と、電源回路に介装される電源スイッチと、吊下げ用フック部とを設け、その電源スイッチのオン動作によりバイブレーション用モータ装置を作動させてマッサージを施すことができるように構成したことを特徴とする携帯用バイブレータ。
【請求項２】
前記電源スイッチをオフ状態に保持するロック機構を備えたことを特徴とする請求項１に記載の携帯用バイブレータ。
【考案の詳細な説明】
【技術分野】
【０００１】
本考案は、携帯電話やキーホルダー等に吊り下げて携行可能な小型の携帯用バイブレータに関するものである。
【背景技術】
【０００２】
痛みや疲労の緩和・解消、心身のリフレッシュ等のために人体のツボを揉んだり、マッサージを施すことは古くから行なわれており、棒状の押し具等によってツボを適宜押圧する方法が民間療法として知られている。
【０００３】
人体の肩、頸部や腕などの部位をマッサージする手持ち式の小型バイブレータについては、例えば、実用新案登録第３０９１０９９号公報等により開示されている。ところで、この種のバイブレータは、肩や腕の大きな筋肉部分のマッサージには適すると思われるが、バイブレーション作用が強いことから、こめかみ等の筋肉部分の少ない神経の細やかな部位のマッサージには不向きであると言えよう。
【０００４】
また、今の風潮として、手のひらに納まる程度の大きさのバイブレータであって、携帯電話やキーホルダー等に吊り下げて携行することができるファンシーグッズの性格をもつ小型・軽量のバイブレータの開発が望まれていた。
【特許文献１】実用新案登録第３０９１０９９号公報
【特許文献２】実用新案登録第３０７２２００号公報
【考案の開示】
【考案が解決しようとする課題】
【０００５】
この考案の目的は、キーホルダー等に吊り下げて携行可能に小型・軽量で簡易な構造とした携帯用バイブレータを提供することにある。
【課題を解決するための手段】
【０００６】
請求項１に記載の考案は、ツボを押圧するための少なくとも1つの突起部を適宜箇所に配置したケースに、回転不平衡錘を出力軸に備えたバイブレーション用モータ装置と、そのモータ装置に電力を供給する小形蓄電池と、電源回路に介装される電源スイッチと、吊下げ用フック部とを設け、その電源スイッチのオン動作によりバイブレーション用モータ装置を作動させてマッサージを施すことができるように構成したことを特徴とする。
【０００７】
請求項２に記載の考案は、請求項１に記載の携帯用バイブレータにおいて、前記電源スイッチをオフ状態に保持するロック機構を備えたことを特徴とするものである。
【考案の効果】
【０００８】
この携帯用バイブレータは、キーホルダー等に吊り下げて携行することができるように小型・軽量で簡易な構造とされており、顔部等の細やかな部位に適度のバイブレーションによるマッサージを施すことができる。加えて、携行時に、バイブレータが不用意に作動しないようにロック機能を備えているので、使い勝手が良い。
【考案を実施するための最良の形態】
【０００９】
以下に、本考案の最良の形態例を図面に基づいて説明する。図１は携帯用バイブレータの正面図、図２は同、拡大して示した縦断側面図、図３は図２の電源スイッチ箇所における横断断面図、図４は携帯用バイブレータの表ケースを取り外した状態を示す正面図、図５は裏ケースの正面図である。
【００１０】
本考案の携帯用バイブレータＶは、携帯電話やキーホルダ等に取り付けて携行を容易にするために、手のひらに納まる程度の大きさに構成されている。図２に示すように、このバイブレータＶのケース１は、二つに分割して形成された合成樹脂製の表ケース２と裏ケース８とからなり、それらを合着して一体化するように設けられている。
【００１１】
図２に示すように、その表ケース２は、ツボを押圧するための1つの突起部３を構成する半割りの段付き軸部３ａが長手方向の先端２ａに設けられ、電源スイッチ２０を構成する押釦２１の頭部２１ａを遊嵌するための穴４が後端２ｂ寄りに形成されている。５は表ケース２の内面に一体に形成された複数のリブである。
【００１２】
図２に示すように、裏ケース８は、前記突起部３を構成する半割りの段付き軸部３ｂが長手方向の先端８ａに設けられ、小型蓄電池たるボタン型電池２５を収容するための透孔１０が形成された座部９を後端８ｂ寄りに形成している。１１は透孔１０に連通するように形成された所定深さの環状穴であり、この環状穴１１に嵌められる電池蓋２６をビス２７により締め付けて当該裏ケース８に固定するように設けられている。１２，１２は座部９に形成された左右一対のネジ穴である。
【００１３】
図５に示すように、その座部９の下方には、バイブレーション用モータ装置３０を固定するための支持片１３，１３が所定間隔をおいて設けられ、その支持片１３，１３の左方に、スライドスイッチ３３を固定するための支持片１４，１４が所定間隔をおいて設けられている。１５はスライドスイッチ３３のツマミ３３ａを外方に臨ませるために裏ケース８の側縁に形成された開口部である。
【００１４】
バイブレーション用モータ装置３０は、その出力軸に回転不平衡錘３２を備えており、その回転不平衡錘３２が裏ケース８の先端８ａ側に位置するように取り付けられる（図４）。また、バイブレーション用モータ装置３０はケース１に収められた状態において、その上面を表ケース２のリブ５により押さえられることにより安定的に固定されるように設けられている（図２）。
【００１５】
裏ケース８の後端８ｂには、ほぼ逆Ｕ字形の吊下げ用フック３５が左右の脚部３５ａ，３５ａを側縁リブ８ｃと係止突起１６，１６に挟持されて取り付けられている。３６は吊下げ用フック３５に連結されたリングである。
【００１６】
前記座部９には、電源回路用プリント基板４０に通したビス４５をネジ穴１２，１２に締め付けることにより当該プリント基板４０を取り付けている。そのプリント基板４０には、電源スイッチ２０を構成する導電性バネ片４１と、前記ボタン型電池２５の外周部（プラス電極）に弾接させる電極片４２とが設けられている（図３）。その導電性バネ片４１には、押釦２１の内方に形成された突部２１ｂを常時当接させるように設けている。
【００１７】
しかして、押釦２１を押すことにより導電性バネ片４１の接点４１ａがボタン型電池２５のマイナス電極に接触することにより、ボタン型電池２５からバイブレーション用モータ装置３０に所要電力を供給するように電源回路が構成されている。また、この電源回路には、電源スイッチ２０をオフ状態に保持する安全ロック機構としてのスライドスイッチ３３を介装している。すなわち、このスライドスイッチ３のツマミ３３ａをロック位置にセットすることにより、押釦２１が不用意に押されてもバイブレーション用モータ装置３０が作動しないように設けられている。
【００１８】
図４に示す裏ケース８にバイブレーション用モータ装置３０、スライドスイッチ３３を組み込んだ状態にて表ケース２を合着し、ケース１の突起部３に軟質合成樹脂又はゴム製のキャップ４５を被着することにより携帯用バイブレータＶが構成される。
【００１９】
つぎに、上記構成になる携帯用バイブレータＶの作動及び使用方法について説明する。
（１）まず、携帯用バイブレータＶの押釦２１を押すと、導電性バネ片４１の接点４１ａがボタン型電池２５のマイナス電極に接触して電源スイッチ２０をオン動作させる。これにより、ボタン型電池２５からバイブレーション用モータ装置３０に所要電力が供給されるので、当該モータ装置３０の回転作動によりバイブレーションが発生する。
（２）携帯用バイブレータＶの突起部３を顔部等の所望部位にあてがえば、突起部３により当該部位がバイブレーション作用により緩やかに刺激されて血行の促進が促されるので、筋肉の疲労の緩和や気分転換が図られる。
【００２０】
また、携帯用バイブレータＶを携行する場合において、スライドスイッチ３のツマミ３３ａをロック位置にセットしておけば、押釦２１が何らかにより不用意に押されてバイブレーション用モータ装置３０が作動してしまうことを回避することができる。
【００２１】
この携帯用バイブレータＶを携行する際には、吊下げ用フック３５に連結されたリング３６を介して携帯電話やキーホルダー等に取り付けることにより容易に携行することができ、その状態のままで使用することもできる。
【００２２】
以上に述べた通り、この携帯用バイブレータは、携帯電話等に吊り下げて容易に携行することができて、適時に顔部等の細やかな部位に適度のバイブレーションによるマッサージを施すことができる利便性を有する。
【図面の簡単な説明】
【００２３】
【図１】携帯用バイブレータの正面図
【図２】同、拡大して示した縦断側面図
【図３】図２の電源スイッチ箇所における横断断面図
【図４】携帯用バイブレータの表ケースを取り外した状態を示す正面図
【図５】裏ケースの正面図
【符号の説明】
【００２４】
Ｖ・・・携帯用バイブレータ
１・・・ケース
２・・・表ケース
３・・・突起部
８・・・裏ケース
２０・・・電源スイッチ
２１・・・押釦
２５・・・ボタン型電池（小型蓄電池）
３０・・・バイブレーション用モータ装置
３２・・・回転不平衡錘
３３・・・スライドスイッチ
３５・・・吊下げ用フック
【図１】
0003101115.tif 000003
【図２】
0003101115.tif 000004
【図３】
0003101115.tif 000005
【図４】
0003101115.tif 000006
【図５】
0003101115.tif 000007